(57)【要約】【課題】施工が簡単で、給電線路での損失が小さく、送信方向に応じて指向性および偏波面を変更することが可能な送信装置を提供する。【解決手段】この送信装置１は、送信機２を収納した金属ケース３にアンテナ４を固定するＬ字金具５を備える。Ｌ字金具５は、金属ケース３の正面および背面のうちの所望の面に取り付け可能に形成された金属板３０と、金属板３０に直角に設けられ、金属ケース３の上面または下面に対向して配置される金属板３１とを含む。アンテナ４は、金属板３０，３１のうちの所望の金属板に、複数の方向のうちの所望の方向に向けて取り付け可能になっている。したがって、簡単に設置でき、同軸ケーブル６が短くて済む。【選択図】図１４
2011135296.tif 000002
【特許請求の範囲】
【請求項１】
送信機と、該送信機を収納した金属ケースと、送信用のアンテナと、該アンテナを前記金属ケースに固定するＬ字金具とを備え、
前記Ｌ字金具は、
前記金属ケースの正面および背面のうちの所望の面に取り付け可能に形成された第１の金属板と、
前記第１の金属板に直角に設けられ、前記第１の金属板が前記金属ケースの正面または背面に取り付けられた場合に、前記金属ケースの上面または下面に対向して配置される第２の金属板とを含み、
前記アンテナは、前記第１および第２の金属板のうちの所望の金属板に、複数の方向のうちの所望の方向に向けて取り付け可能になっている、送信装置。
【請求項２】
前記金属ケースの正面および背面の各々には複数のネジ孔が形成され、
前記第１の金属板には、それぞれ前記複数のネジ孔に対応して設けられた複数の第１孔が形成され、
前記第１の金属板は、各第１孔を介してそれに対応するネジ孔にネジを螺合することにより、前記金属ケースの正面または背面に固定される、請求項１に記載の送信装置。
【請求項３】
前記第１の金属板には、それぞれ前記複数のネジ孔に対応して設けられ、各々が予め定められた深さを有する複数の凹部が形成され、
各凹部は、前記第１の金属板の一部をＵ字状に打ち抜いて折り曲げることにより形成され、
前記複数の第１孔は、それぞれ前記複数の凹部の底に形成され、
前記第１の金属板は、前記複数の凹部の底を前記金属ケースの正面または背面に当てて、各第１孔を介してそれに対応するネジ孔にネジを螺合することにより、前記金属ケースの正面または背面に予め定められた隙間を開けて固定される、請求項２に記載の送信装置。
【請求項４】
前記第１および第２の金属板の各々には、複数の第２孔と複数組の複数の第３孔が形成され、
前記アンテナは、
直角に設けられた第３および第４の金属板を含むＬ字型のグランド板と、
前記第３の金属板に垂直に設けられた放射素子とを含み、
前記第３の金属板には、それぞれ前記複数の第２孔に対応する複数の第４孔が形成され、
前記第４の金属板には、それぞれ前記複数の第３孔に対応する複数の第５孔が形成され、
前記第３の金属板を前記第１または第２の金属板に固定する場合は、前記複数の第４孔と前記複数の第２孔とを位置合わせし、各第４孔とそれに対応する第２孔とにボルトを挿入して各ボルトにナットを螺合し、
前記第４の金属板を前記第１または第２の金属板に固定する場合は、前記複数の第５孔と前記複数組の前記複数の第３孔のうちの所望の組の前記複数の第３孔とを位置合わせし、各第５孔とそれに対応する第３孔とにボルトを挿入して各ボルトにナットを螺合する、請求項２または請求項３に記載の送信装置。
【発明の詳細な説明】
【技術分野】
【０００１】
この発明は送信装置に関し、特に、送信機と、送信機を収納した金属ケースと、送信用のアンテナとを備えた送信装置に関する。
【背景技術】
【０００２】
近年、地上デジタル放送の分野では、大型の基地局ではカバーできないような山間部の盆地などの不感帯をカバーしたり、イベント会場などで一時的にワンセグ放送を行なうための簡易な送信装置が求められている。従来の送信装置では、送信機とアンテナとが別々に離れて配置され、両者の間は同軸ケーブルのような給電線路で接続されていた（たとえば特許文献１参照）。
【先行技術文献】
【特許文献】
【０００３】
【特許文献１】特開２００３−３３２８１６号公報
【発明の概要】
【発明が解決しようとする課題】
【０００４】
しかし、従来の送信装置では、送信機とアンテナが別々に離れて配置されていたので、施工が煩わしく、給電線路での損失が大きいと言う問題があった。そこで、アンテナと送信機を一体に構成することが考えられるが、そのようなアンテナ一体型送信機では指向性や偏波面が固定され、不便である。
【０００５】
それゆえに、この発明の主たる目的は、施工が簡単で、給電線路での損失が小さく、送信方向に応じて指向性および偏波面を変更することが可能な送信装置を提供することである。
【課題を解決するための手段】
【０００６】
この発明に係る送信装置は、送信機と、該送信機を収納した金属ケースと、送信用のアンテナと、該アンテナを金属ケースに固定するＬ字金具とを備えたものである。Ｌ字金具は、金属ケースの正面および背面のうちの所望の面に取り付け可能に形成された第１の金属板と、第１の金属板に直角に設けられ、第１の金属板が金属ケースの正面または背面に取り付けられた場合に、金属ケースの上面または下面に対向して配置される第２の金属板とを含む。アンテナは、第１および第２の金属板のうちの所望の金属板に、複数の方向のうちの所望の方向に向けて取り付け可能になっている。
【０００７】
好ましくは、金属ケースの正面および背面の各々には複数のネジ孔が形成され、第１の金属板には、それぞれ複数のネジ孔に対応して設けられた複数の第１孔が形成されている。第１の金属板は、各第１孔を介してそれに対応するネジ孔にネジを螺合することにより、金属ケースの正面または背面に固定される。
【０００８】
また好ましくは、第１の金属板には、それぞれ複数のネジ孔に対応して設けられ、各々が予め定められた深さを有する複数の凹部が形成される。各凹部は、第１の金属板の一部をＵ字状に打ち抜いて折り曲げることにより形成される。複数の第１孔は、それぞれ複数の凹部の底に形成される。第１の金属板は、複数の凹部の底を金属ケースの正面または背面に当てて、各第１孔を介してそれに対応するネジ孔にネジを螺合することにより、金属ケースの正面または背面に予め定められた隙間を開けて固定される。
【０００９】
また好ましくは、第１および第２の金属板の各々には、複数の第２孔と複数組の複数の第３孔が形成される。アンテナは、直角に設けられた第３および第４の金属板を含むＬ字型のグランド板と、第３の金属板に垂直に設けられた放射素子とを含む。第３の金属板には、それぞれ複数の第２孔に対応する複数の第４孔が形成され、第４の金属板には、それぞれ複数の第３孔に対応する複数の第５孔が形成されている。第３の金属板を第１または第２の金属板に固定する場合は、複数の第４孔と複数の第２孔とを位置合わせし、各第４孔とそれに対応する第２孔とにボルトを挿入して各ボルトにナットを螺合する。第４の金属板を第１または第２の金属板に固定する場合は、複数の第５孔と複数組の複数の第３孔のうちの所望の組の複数の第３孔とを位置合わせし、各第５孔とそれに対応する第３孔とにボルトを挿入して各ボルトにナットを螺合する。
【発明の効果】
【００１０】
この発明に係る送信装置では、送信機を収納した金属ケースにアンテナをＬ字金具で固定するので、送信機とアンテナが別々に設けられていた従来に比べ、簡単に施工することができ、給電線路における損失を小さくすることができる。また、金属ケースの正面、背面、上面、および下面のうちの所望の面に、複数の方向のうちの所望の方向に向けてアンテナを取り付けることができるので、送信場所に応じた所望の指向性や偏波面を得ることができる。
【図面の簡単な説明】
【００１１】
【図１】この発明の一実施の形態による送信装置の構成および使用態様を示す模式的に示す図である。
【図２】図１に示した金属ケースの構成を示す斜視図である。
【図３】図１に示したアンテナの構成を示す斜視図である。
【図４】図３に示したアンテナのカバーの内部を示す図である。
【図５】図３に示したアンテナのカバーの内部を示す他の図である。
【図６】図３に示したアンテナの指向性を示す図である。
【図７】図３に示したアンテナのグランド板の構成を示す図である。
【図８】図１に示したＬ字金具の構成を示す図である。
【図９】図８（ｂ）のＩＸ−ＩＸ線断面図である。
【図１０】図２で示した金属ケースにＬ字金具を取り付けた一態様を示す図である。
【図１１】図２で示した金属ケースにＬ字金具を取り付けた他の態様を示す図である。
【図１２】図２で示した金属ケースにＬ字金具を取り付けたさらに他の態様を示す図である。
【図１３】図２で示した金属ケースにＬ字金具を取り付けたさらに他の態様を示す図である。
【図１４】図１０で示したＬ字金具にアンテナを取り付けた一態様を示す図である。
【図１５】図１０で示したＬ字金具にアンテナを取り付けた他の態様を示す図である。
【図１６】図１０で示したＬ字金具にアンテナを取り付けたさらに他の態様を示す図である。
【図１７】図１０で示したＬ字金具にアンテナを取り付けたさらに他の態様を示す図である。
【図１８】図１０で示したＬ字金具にアンテナを取り付けたさらに他の態様を示す図である。
【図１９】図１０で示したＬ字金具にアンテナを取り付けたさらに他の態様を示す図である。
【図２０】図１０で示したＬ字金具にアンテナを取り付けたさらに他の態様を示す図である。
【図２１】図１０で示したＬ字金具にアンテナを取り付けたさらに他の態様を示す図である。
【図２２】図１０で示したＬ字金具にアンテナを取り付けたさらに他の態様を示す図である。
【図２３】図１０で示したＬ字金具にアンテナを取り付けたさらに他の態様を示す図である。
【図２４】図１４で示したアンテナの指向性を示す図である。
【図２５】図１９で示したアンテナの指向性を示す図である。
【図２６】図２２で示したアンテナの指向性を示す図である。
【発明を実施するための形態】
【００１２】
本願の一実施の形態の送信装置１は、図１に示すように、電柱７に張り渡されたメッセンジャワイヤ８に吊り下げられる。送信装置１は、比較的狭い範囲（たとえば送信装置１から２００ｍ程度離れた地点までの範囲内）に電波を送信する目的で使用される。たとえば、ある範囲内に、広告等の各種の情報を電波によって送信するといった用途に送信装置１を用いることができる。また、たとえば送信装置１と受信装置とを組み合わせることにより、移動体通信の基地局として送信装置１を使用してもよい。ただし、上述の送信装置１の使用形態は一例であって、本発明に係る送信装置の用途を限定するものではない。
【００１３】
送信装置１は、送信機２と、送信機２を収納する金属ケース３と、送信用のアンテナ４と、アンテナ４を金属ケース３に固定するＬ字金具５とを備える。送信機２は、給電線路である同軸ケーブル６を介して、アンテナ４に高周波電力を供給する。送信機２から高周波電力が供給されることによりアンテナ４は電波を放射する。
【００１４】
金属ケース３は、たとえばアルミニウム製のダイカストケースであり、雨、雪などから送信機２を保護するとともに、送信機２で発生するノイズをシールドするために設けられている。図２に示すように、金属ケース３の上面の両端部の各々に、固定部材１０がネジ１１により取り付けられる。固定ボルト１２により、固定部材１０においてメッセンジャワイヤ８を挟む部分が締め付けられる。これにより金属ケース３がメッセンジャワイヤ８に吊り下げられた状態で設置される。
【００１５】
金属ケース３の側面には、同軸ケーブル６用のコネクタが設けられている。また、金属ケース３の正面および背面の各々には、放熱用の多数のフィンと、Ｌ字金具５を取り付けるための複数（図では４つ）のネジ孔１３が設けられている。４つのネジ孔１３は、長方形の４つの角にそれぞれ配置されている。
【００１６】
アンテナ４は、図３〜図５に示すように、Ｌ字型のグランド板１５と、グランド板１５の表面に設けられた帽子状のカバー１６と、カバー１６内に設けられたホーン状の放射素子１７とを含む。カバー１６は、プラスチックのような絶縁材料で形成されている。カバー１６の縁は、グランド板１５にネジ止めされている。
【００１７】
放射素子１７は、銅のような金属で形成され、開口部を上に向けてグランド板１５に垂直に配置されている。放射素子１７は、複数（たとえば２本）の接地棒１８によってグランド板１５の表面上に支持されている。放射素子１７の下端に給電点Ｐ１が設けられ、給電点Ｐ１に対向するグランド板１５の表面に給電点Ｐ２が設けられる。給電点Ｐ１は同軸ケーブル６の中心導体に接続され（図示せず）、給電点Ｐ２は同軸ケーブル６の外部導体に接続される（図示せず）。送信する電波の波長をλとすると、放射素子１７の高さは約０．２λであり、その直径は約０．２λである。
【００１８】
図６（ａ）はアンテナ４の水平面の指向性を示す図であり、図６（ｂ）はアンテナ４の垂直面の指向性を示す図である。図６(ａ）（ｂ）は、図３〜図５に示したように、アンテナ４と金属ケース３を別々に配置し、グランド板１５を水平に配置し、放射素子１７を垂直に配置した場合の指向性を示している。放射素子１７の形状から分かるように、水平方向への指向性は無く、電波は水平方向の全方向に放射され、垂直方向にはほとんど放射されない。
【００１９】
図７（ａ）はグランド板１５の構成を示す正面図であり、図７（ｂ）はその平面図であり、図７（ｃ）はその側面図である。図７（ａ）〜（ｃ）において、グランド板１５は、長方形の金属板の一方端をカバー１６と同心の半円形に加工し、他方端を直角に折り曲げたものである。換言すると、グランド板１５は、直角に設けられた２枚の金属板２０，２１を含む。金属板２０，２１の境界には、グランド板１５を補強するための複数（図では４つ）のガゼット２２が形成されている。
【００２０】
金属板２０の中央部には、カバー１６をネジ止めするための孔２３や、接地棒１８の下端をネジ止めするための孔２４などが形成されている。また、金属板２０の金属板２１側の端部には、アンテナ４をＬ字金具５に固定するための複数（図では４つ）の孔２５が形成され、その反対側の端部にはアンテナ４をＬ字金具５に固定するための複数（図では２つ）の孔２６が形成されている。また、金属板２１には、アンテナ４をＬ字金具５に固定するための複数（図では５つ）の孔２７が形成されている。
【００２１】
４つの孔２５は、金属板２０，２１の境界に沿って１列に配置されている。両端の２つの孔２５の間隔はｄ１であり、内側の２つの孔２５の間隔はｄ２である。２つの孔２６は、４つの孔２５と同じ方向に配列されている。２つの孔２６の間隔はｄ３である。５つの孔２７は、金属板２０，２１の境界に沿って１列に配置されている。両端の２つの孔２７の間隔はｄ１であり、内側の２つの孔２７の間隔はｄ２であり、もう１つの孔２７は両端の２つの孔２７の中間に設けられている。
【００２２】
図８（ａ）はＬ字金具５の構成を示す上面図であり、図８（ｂ）はその正面図であり、図８（ｃ）はその側面図であり、図９は図８（ｂ）のＩＸ−ＩＸ線断面図である。図８（ａ）〜（ｃ）および図９において、Ｌ字金具５は、長方形の金属板を直角に折り曲げたものである。換言すると、グランド板１５は、直角に設けられた２枚の金属板３０，３１を含む。金属板３０，３１の各々は、略正方形である。金属板３０，３１の境界には、Ｌ字金具５を補強するための複数（図では４つ）のガゼット３２が形成されている。
【００２３】
金属板３０の中央部には、複数（図では４つ）の凹部３３が形成されている。凹部３３は、金属板３０の一部をＵ字型に打ち抜いて舌状の金属片を形成し、その金属片を直角に折り曲げたものである。凹部３３の底は、金属板３０の表面に平行になっている。凹部３３の底には、孔３４が形成されている。４つの孔３４は、長方形の４つの角にそれぞれ配置されており、それぞれ金属ケース３の４つのネジ孔１３に対応している。４つのネジ孔１３は、Ｌ字金具５を金属ケース３の正面または背面にネジ止めするために使用される。その際、凹部３３の底が金属ケース３の正面または背面に当接され、金属板３１は金属ケースの上面または下面に対向して配置される。これにより、金属板３０と金属ケース３の正面または背面との間に所定の隙間が形成される。この隙間により、金属ケース３へのＬ字金具５の取り付け作業や、Ｌ字金具５へのアンテナ４の取り付け作業が容易になる。
【００２４】
また、金属板３０には、４辺に沿って、グランド板１５を金属板３０に種々の態様で固定するための複数の孔３５〜３７が形成されている。複数（図では４つ）の孔３５は、金属板３０，３１の境界に沿って１列に配置されている。両端の２つの孔３５の間隔はｄ１であり、内側の２つの孔３５の間隔はｄ２である。４つの孔３５は、グランド板１５の４つの孔２５にそれぞれ対応するとともに、グランド板１５の４つの孔２７に対応している。
【００２５】
複数（図では５つ）の孔３６は、金属板３０，３１の境界と対向する辺に沿って１列に配置されている。両端の２つの孔３６の間隔はｄ１であり、内側の２つの孔３６の間隔はｄ３であり、もう１つの孔３６は両端の２つの孔３６の中間に設けられている。両端の２つの孔３６は、グランド板１５の両端の２つの孔２５にそれぞれ対応するとともに、グランド板１５の両端の２つの孔２７に対応している。内側の２つの孔３６は、グランド板１５の２つの孔２６にそれぞれ対応している。中央の孔３６は、グランド板１５の５つの孔２７のうちの中央の孔２７に対応している。複数（図では２つ）の孔３７は、両端の２組の孔３５，３６の中間に配置されている。各孔３７は、グランド板１５の５つの孔２７のうちの中央の孔２７に対応している。
【００２６】
なお、金属板３０の中央部には、金属板３０にグランド板１５の金属板２０を固定するときに、接地棒１８を固定するネジや給電点Ｐ２を逃がすための複数（図では３つ）の孔３８も形成されている。
【００２７】
また、金属板３１には、４辺に沿って、グランド板１５を金属板３１に種々の態様で固定するための複数の孔４０〜４２が形成されている。複数（図では４つ）の孔４０は、金属板３０，３１の境界に沿って１列に配置されている。両端の２つの孔４０の間隔はｄ１であり、内側の２つの孔４０の間隔はｄ２である。４つの孔４０は、グランド板１５の４つの孔２５にそれぞれ対応するとともに、グランド板１５の４つの孔２７に対応している。
【００２８】
複数（図では４つ）の孔４１は、金属板３０，３１の境界と対向する辺に沿って１列に配置されている。両端の２つの孔４１の間隔はｄ１であり、内側の２つの孔４１の間隔はｄ３である。両端の２つの孔４１は、グランド板１５の両端の２つの孔２５にそれぞれ対応するとともに、グランド板１５の両端の２つの孔２７に対応している。内側の２つの孔４１は、グランド板１５の２つの孔２６にそれぞれ対応している。複数（図では２つ）の孔４２は、両端の２組の孔４０，４１の中間に配置されている。各孔４２は、グランド板１５の５つの孔２７のうちの中央の孔２７に対応している。
【００２９】
なお、金属板３１の中央部には、金属板３１にグランド板１５の金属板２０を固定するときに、接地棒１８を固定するネジや給電点Ｐ２を逃がすための複数（図では３つ）の孔４３も形成されている。
【００３０】
図１０（ａ）〜図１３（ｃ）は、金属ケース３にＬ字金具５を固定する４つの態様を示す図である。図１０（ａ）〜（ｃ）は、それぞれ上面図、正面図、および側面図である。図１０（ａ）〜（ｃ）では、Ｌ字金具５の金属板３１が金属ケース３の上面に対向して配置され、金属板３０が金属ケース３の正面に固定される。図１１（ａ）〜（ｃ）は、それぞれ上面図、正面図、および側面図である。図１１（ａ）〜（ｃ）では、Ｌ字金具５の金属板３１が金属ケース３の上面に対向して配置され、金属板３０が金属ケース３の背面に固定される。
【００３１】
図１２（ａ）〜（ｃ）は、それぞれ正面図、上面図、および側面図である。図１２（ａ）〜（ｃ）では、Ｌ字金具５の金属板３１が金属ケース３の下面に対向して配置され、金属板３０が金属ケース３の正面に固定される。図１３（ａ）〜（ｃ）は、それぞれ正面図、上面図、および側面図である。図１３（ａ）〜（ｃ）では、Ｌ字金具５の金属板３１が金属ケース３の下面に対向して配置され、金属板３０が金属ケース３の背面に固定される。
【００３２】
これらの場合、金属板３０の４つの凹部３３の底が金属ケース３の正面（または背面）に当接され、金属板３０の４つの孔３４が金属ケース３の正面（または背面）の４つのネジ孔１３に位置決めされ、各孔３４を介してそれに対応するネジ孔１３にネジが螺合されて、金属板３０が金属ケース３の正面（または背面）に固定される。このように、Ｌ字金具５は、４つの態様のうちの所望の態様で金属ケース３に取り付けることが可能となっている。
【００３３】
図１４（ａ）〜図１８（ｃ）は、図１０（ａ）〜（ｃ）で示したように、Ｌ字金具５の金属板３１を金属ケース３の上面側に配置し、金属板３０を金属ケース３の正面に固定した場合において、アンテナ４を金属板３０に固定する５つの態様を示す図である。図１４（ａ）〜（ｃ）は、それぞれ上面図、正面図、および側面図である。図１４（ａ）〜（ｃ）では、アンテナ４のカバー１６の上面を図１４（ｂ）中の正面に向けて、グランド板１５の金属板２０がＬ字金具５の金属板３０に固定される。この場合、金属板３０の４つの孔３５および２つの孔３６に金属板２０の４つの孔２５および２つの孔２６がそれぞれ位置決めされ、対応する各２つの孔にボルトが挿入され、そのボルトにナットが螺合されて、金属板２０，３０が互いに固定される。
【００３４】
図１５（ａ）〜（ｃ）は、それぞれ上面図、正面図、および側面図である。図１５（ａ）〜（ｃ）では、アンテナ４のカバー１６の上面を図１５（ｂ）中の右側に向けて、グランド板１５の金属板２１がＬ字金具５の金属板３０の図１５（ｂ）中の左端部に固定される。この場合、金属板３０の左端の３つの孔３５〜３７に金属板２１の両端および中央の３つの孔２７がそれぞれ位置決めされ、対応する各２つの孔にボルトが挿入され、そのボルトにナットが螺合されて、金属板２１，３０が互いに固定される。
【００３５】
図１６（ａ）（ｂ）は、それぞれ上面図および正面図である。図１６（ａ）（ｂ）では、アンテナ４のカバー１６の上面を図１６（ｂ）中の左側に向けて、グランド板１５の金属板２１がＬ字金具５の金属板３０の図１６（ｂ）中の右端部に固定される。この場合、金属板３０の右端の３つの孔３５〜３７に金属板２１の両端および中央の３つの孔２７がそれぞれ位置決めされ、対応する各２つの孔にボルトが挿入され、そのボルトにナットが螺合されて、金属板２１，３０が互いに固定される。
【００３６】
図１７（ａ）（ｂ）は、それぞれ正面図および側面図である。図１７（ａ）（ｂ）では、アンテナ４のカバー１６の上面を図１７（ａ）中の下側に向けて、グランド板１５の金属板２１がＬ字金具５の金属板３０の図１７（ａ）中の上端部に固定される。この場合、金属板３０の上端の４つの孔３５に金属板２１の４つの孔２７がそれぞれ位置決めされ、対応する各２つの孔にボルトが挿入され、そのボルトにナットが螺合されて、金属板２１，３０が互いに固定される。
【００３７】
図１８（ａ）〜（ｃ）は、それぞれ上面図、正面図、および側面図である。図１８（ａ）〜（ｃ）では、アンテナ４のカバー１６の上面を図１８（ｂ）中の上側に向けて、グランド板１５の金属板２１がＬ字金具５の金属板３０の図１８（ｂ）中の下端部に固定される。この場合、金属板３０の下端の両端の２つの孔３６に金属板２１の両端の２つの孔２７がそれぞれ位置決めされ、対応する各２つの孔にボルトが挿入され、そのボルトにナットが螺合されて、金属板２１，３０が互いに固定される。このように、図１０（ａ）〜（ｃ）で示したようにＬ字金具５を金属ケース３に固定した場合、５つの態様のうちの所望の態様でアンテナ４を金属板３０に取り付けることができる。
【００３８】
図１９（ａ）〜図２３（ｃ）は、図１０（ａ）〜（ｃ）で示したように、Ｌ字金具５の金属板３１を金属ケース３の上面側に配置し、金属板３０を金属ケース３の正面に固定した場合において、アンテナ４を金属板３１に固定する５つの態様を示す図である。図１９（ａ）〜（ｃ）は、それぞれ上面図、正面図、および側面図である。図１９（ａ）〜（ｃ）では、アンテナ４のカバー１６の上面を図１９（ｂ）中の上側に向けて、グランド板１５の金属板２０がＬ字金具５の金属板３１に固定される。この場合、金属板３１の４つの孔４０および内側の２つの孔４１に金属板２０の４つの孔２５および２つの孔２６がそれぞれ位置決めされ、対応する各２つの孔にボルトが挿入され、そのボルトにナットが螺合されて、金属板２０，３１が互いに固定される。
【００３９】
図２０（ａ）〜（ｃ）は、それぞれ上面図、正面図、および側面図である。図２０（ａ）〜（ｃ）では、アンテナ４のカバー１６の上面を図２０（ｂ）中の右側に向けて、グランド板１５の金属板２１がＬ字金具５の金属板３１の図２０（ｂ）中の左端部に固定される。この場合、金属板３１の左端の３つの孔４０〜４２に金属板２１の両端および中央の３つの孔２７がそれぞれ位置決めされ、対応する各２つの孔にボルトが挿入され、そのボルトにナットが螺合されて、金属板２１，３１が互いに固定される。
【００４０】
図２１（ａ）（ｂ）は、それぞれ上面図および正面図である。図２１（ａ）（ｂ）では、アンテナ４のカバー１６の上面を図２１（ｂ）中の左側に向けて、グランド板１５の金属板２１がＬ字金具５の金属板３１の図中の右端部に固定される。この場合、金属板３１の右端の３つの孔４０〜４２に金属板２１の両端および中央の３つの孔２７がそれぞれ位置決めされ、対応する各２つの孔にボルトが挿入され、そのボルトにナットが螺合されて、金属板２１，３１が互いに固定される。
【００４１】
図２２（ａ）（ｂ）は、それぞれ上面図および側面図である。図２２（ａ）（ｂ）では、アンテナ４のカバー１６の上面を図２２（ｂ）中の右側（金属ケース３の背面と同じ側）に向けて、グランド板１５の金属板２１がＬ字金具５の金属板３１の図２２（ｂ）中の左端部（金属ケース３の正面と同じ側）に固定される。この場合、金属板３１の上端の４つの孔４０に金属板２１の４つの孔２７がそれぞれ位置決めされ、対応する各２つの孔にボルトが挿入され、そのボルトにナットが螺合されて、金属板２１，３１が互いに固定される。
【００４２】
図２３（ａ）〜（ｃ）は、それぞれ上面図、正面図、および側面図である。図２３（ａ）〜（ｃ）では、アンテナ４のカバー１６の上面を図２３（ｂ）中の正面に向けて、グランド板１５の金属板２１がＬ字金具５の金属板３１の図２３（ａ）中の下端部に固定される。この場合、金属板３１の４つの孔４０に金属板２１の４つの孔２７がそれぞれ位置決めされ、対応する各２つの孔にボルトが挿入され、そのボルトにナットが螺合されて、金属板２１，３１が互いに固定される。このように、図１０（ａ）〜（ｃ）で示したようにＬ字金具５を金属ケース３に固定した場合、５つの態様のうちの所望の態様でアンテナ４を金属板３１に取り付けることができる。
【００４３】
同様に、図１１（ａ）〜（ｃ）、図１２（ａ）〜（ｃ）、および図１３（ａ）〜（ｃ）で示したようにＬ字金具５を金属ケース３に固定した場合、いずれの場合も、５つの態様のうちの所望の態様でアンテナ４を金属板３０に取り付けることができ、５つの態様のうちの所望の態様でアンテナ４を金属板３１に取り付けることができる。
【００４４】
Ｌ字金具５およびアンテナ４を金属ケース３に取り付ける態様により、アンテナ４の指向性および偏波面が変わる。図２４（ａ）は、図１４（ａ）〜（ｃ）で示したようにＬ字金具５およびアンテナ４を金属ケース３に取り付けた場合のアンテナ４の水平面指向性を示す図であり、図２４（ｂ）はその垂直面指向性を示す図である。図２４（ａ）（ｂ）から、電波は水平面ではアンテナ４の斜め前方（１２０度の方向）に強く放射され、垂直面では上下方向以外の方向に強く放射されることが分かる。
【００４５】
図２５（ａ）は、図１９（ａ）〜（ｃ）で示したようにＬ字金具５およびアンテナ４を金属ケース３に取り付けた場合のアンテナ４の水平面指向性を示す図であり、図２５（ｂ）はその垂直面指向性を示す図である。図２５（ａ）（ｂ）から、電波は水平面では全方向に強く放射され、垂直面では上下方向以外の方向に強く放射されることが分かる。
【００４６】
図２６（ａ）は、図２２（ａ）（ｂ）で示したようにＬ字金具５およびアンテナ４を金属ケース３に取り付けた場合のアンテナ４の水平面指向性を示す図であり、図２６（ｂ）はその垂直面指向性を示す図である。図２６（ａ）（ｂ）から、電波は水平面では前後方向（０度および１８０度方向）以外の方向に強く放射され、垂直面では斜め上方に強く放射されることが分かる。
【００４７】
以上のように、この実施の形態では、アンテナ４をＬ字金具５によって金属ケース３に固定するので、送信機２とアンテナ４とを接続する同軸ケーブル６の長さを短くすることができる（たとえば数十ｃｍ）。したがって、同軸ケーブル６での損失を小さくするこたおができる。
【００４８】
なお、金属ケース３とアンテナ４を別々に離して配置した場合、送信機２とアンテナ４とを接続する同軸ケーブル６が長くなる。たとえば金属ケース３をメッセンジャワイヤ８に吊り下げ、アンテナ４を電柱７の頂上に設置した場合、同軸ケーブル６の長さが数ｍあるいは１０ｍ程度となることがある。同軸ケーブル６が長いほど同軸ケーブル６での高周波電力の損失が大きくなるため、アンテナ４に供給される高周波電力が小さくなる。したがって、アンテナ４からの放射電力も弱くなる。
【００４９】
本実施の形態のように比較的狭い範囲に送信装置１から電波を送信する場合には、送信機２から出力される高周波電力自体が小さいので、同軸ケーブル６の損失が大きくなるとアンテナ４の放射電力への影響も大きくなる。具体的にはアンテナ４の放射電力が小さくなると、アンテナ４からの電波の送信範囲が狭くなる。
【００５０】
また、本実施の形態では、アンテナ４と送信機２とを別の場所に設置する必要がないため、アンテナ４および送信機２を含めた送信装置１の設置が容易になる。
【００５１】
また、金属ケース３の正面、背面、上面、および下面のうちの所望の面に、複数の方向のうちの所望の方向に向けてアンテナ４を取り付けることができるので、送信場所に応じた所望の指向性や偏波面を得ることができる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５３】
１  送信装置、２  送信機、３  金属ケース、４  アンテナ、５  Ｌ字金具、６  同軸ケーブル、７  電柱、８  メッセンジャワイヤ、１０  固定部材、１１  ネジ、１２  固定ボルト、１３  ネジ孔、１５  グランド板、１６  カバー、１７  放射素子、１８  接地棒、２０，２１，３０，３１  金属板、２２，３２  ガゼット、２３〜２７，３４〜３８，４０〜４３  孔、３３  凹部、Ｐ１，Ｐ２  給電点。
【図１】
2011135296.tif 000003
【図２】
2011135296.tif 000004
【図３】
2011135296.tif 000005
【図４】
2011135296.tif 000006
【図５】
2011135296.tif 000007
【図６】
2011135296.tif 000008
【図７】
2011135296.tif 000009
【図８】
2011135296.tif 000010
【図９】
2011135296.tif 000011
【図１０】
2011135296.tif 000012
【図１１】
2011135296.tif 000013
【図１２】
2011135296.tif 000014
【図１３】
2011135296.tif 000015
【図１４】
2011135296.tif 000016
【図１５】
2011135296.tif 000017
【図１６】
2011135296.tif 000018
【図１７】
2011135296.tif 000019
【図１８】
2011135296.tif 000020
【図１９】
2011135296.tif 000021
【図２０】
2011135296.tif 000022
【図２１】
2011135296.tif 000023
【図２２】
2011135296.tif 000024
【図２３】
2011135296.tif 000025
【図２４】
2011135296.tif 000026
【図２５】
2011135296.tif 000027
【図２６】
2011135296.tif 000028